(57)【要約】      （修正有）【課題】徽章等を衣服等に装着せずに携帯する際には、着脱の容易な方法で紛失しないよう収納し、その紛失や汚損を防止しつつ、随時提示できる状態で保持する必要性を満たした徽章等の保持器具を提供する。【解決手段】一定の厚みを有する板状の部分に徽章等を納めるための凹みを設けた保持部分３と、保持部分３の表面を覆うように保持部分３と重ねて配置し、保持部分３と見開いたりずらしたりして徽章等を納めた保持部分３の表面を露出することができるよう可動的に保持部分３と接続した表紙部分１、および保持部分３の裏面を覆うように配置し可動的に保持部分３と接続した保護部分２により構成される。【選択図】図１
0003220590.tif 000002
【実用新案登録請求の範囲】
【請求項１】
断面の厚さが5から20ミリメートル程度の板状の片面に凹みを設けた保持部分、保持部分と同程度の大きさの表紙部分及び保護部分により構成される徽章等の保持器具。
【請求項２】
保持部分の表面を表紙部分が覆い、保持部分の裏面を保護部分が覆う構造を有する請求項1記載の徽章等の保持器具。
【請求項３】
保持部分の表面と向かい合う表紙部分を見開いたりずらしたりできるよう可動的な方法で表紙部分と保持部分を接続し、保持部分の裏面と向かい合う保護部分を見開いたりずらしたりできるよう可動的な方法で保持部分と保護部分を接続した請求項2記載の徽章等の保持器具。
【考案の詳細な説明】
【技術分野】
【０００１】
本考案は、徽章（バッジ）等を、着脱可能な方法により、その表面の表示や形状が視認できる状態で保持し、他の物と接触しない状態で携帯することができる徽章等の保持用具に関するものである。
【背景技術】
【０００２】
徽章（バッジ）等は、着衣の装飾のほか、特定の団体への所属や国家資格等の保有を示すために用いられるものであり、周囲から視認できるように、上衣の胸元やその周辺に装着することを前提として作られているものが多い。
このように、衣服の生地を貫通する留め具を備える徽章（バッジ）等は、衣服に確実に固定できるものの、その着脱には手間や時間がかかる上、着替えの際に脱着を失念する可能性がある。
このため、衣服に装着する以外の方法で徽章（バッジ）等を携帯する際には、これを容易に提示できる状態であるとともに、必要に応じて取り出し、着衣に装着できる状態で保持するための用具が必要となる。（特許文献2参照）
また、特定の地位や資格等を示す徽章（バッジ）等については、これが示す資格等を周囲に知られないよう着衣から取り外して携帯する場面もある。
ところが、徽章（バッジ）等はそれほど大きいものではないので、これを着衣から取り外して携帯すると紛失するおそれがある。
このため、徽章（バッジ）等を紛失しないように保持するための用具が必要となる。（特許文献1参照）
さらに、徽章（バッジ）等は貴金属で製作されたりメッキ加工が施されるなどしたものが多く、他の物と接触すると汚損する危険がある。
このため、徽章（バッジ）等を携帯するために保持する際には、徽章（バッジ）等と他の物とが接触しない状態におく必要がある。（特許文献３参照）
【先行技術文献】
【特許文献】
【０００３】
【特許文献１】特開2000−333800
【特許文献２】特開2002−336025公報
【特許文献３】実用新案登録3198646公報
【考案の概要】
【考案が解決しようとする課題】
【０００４】
徽章等を着衣等に装着せずに携帯する際には、保持用具に納めた徽章等を容易に提示でき、かつ、容易に着脱できる方法で収納する必要がある。
また、徽章等は比較的小さなものであるから、これを紛失したり落としたりしないような方法で保持用具に収納ておく必要がある。
さらに、収納した徽章等が他の物に接触して汚損しないよう、徽章が保持用具を含め他の物と接触しないような方法で保持用具に収納する必要がある。
本考案は、このような必要性を満たす徽章等保持用具を提供する。
特許文献1に開示された記章等収納用箱は、収納する徽章等を固定するものではないため、携帯時には収納した徽章等が収用箱と接触し損傷することを防止することができないという問題がある。
特許文献2に開示されたピンバッジシートは、多数の徽章等を保管するものであり、一つの徽章等を保持し携帯することには向いていないという問題がある。
特許文献3に開示された軸付きバッジ型装飾体用の携帯型保持具は、保持する徽章等の表面が露出しているため他の物との接触を防げず、その汚損を防止することができないという問題がある。
【課題を解決するための手段】
【０００５】
本考案は、その表面に徽章等を取り付けて保持する保持部分と、徽章等の表面を含む保持部分の表面全体を覆う表紙部分、保持部分を貫通してその裏面に現れる徽章等の留め具を覆う保護部分を備え、保持部分と表紙部分、保持部分と保護部分がいずれも可動的に接続された保持用具を提供する。
保持部分は、5から20ミリメートル程度の厚みがある板状の構成部分で、その片面には周囲の表面より凹んだ部分を有し、この凹んだ部分のある面が保持部分の表面となる。
表紙部分は、保持部分の表面と同程度の大きさの板状の構成部分である。
保護部分は、保持部分の裏面と同程度かそれより小さな板状の構成部分である。
表紙部分と保持部分は長辺および短辺を揃え、保護部分は保持部分からはみ出さないように配置され、それぞれの向かい合う面を見開いたりずらしたりして展開できる状態で接続されている。
【考案の効果】
【０００６】
上記のとおり凹んだ部分のある保持部分の表面に徽章等を取り付けて保持し、表紙部分が保持部分の表面を、保護部分が保持部分の裏面をそれぞれ覆うことで、保持部分に取り付けた徽章等の表面を表紙部分が、側面を凹みのない保持部分が、留め具を保護部分がそれぞれ覆い、保持用具を含めた他の物との接触による徽章等の汚損を防止することができる。
また、保持部分の表面を覆う表紙部分が可動し展開できるため、保持部分の表面を露出させ、保持部分に取り付けた徽章等を容易に提示することができる。
さらに、保持部分の裏面を覆う保護部分が可動し展開できるため、徽章等の留め具が現れる保持部分の裏面を露出させることができ、保持部分への徽章等の着脱が容易にできる。
ある程度の大きさ、体積をもつ保持用具に徽章等を収納することで、比較的小さな徽章等を紛失したり落としたりせずに携帯することができる。
【図面の簡単な説明】
【０００７】
【図１】本考案が提供する徽章等保持用具の一実施例の平面図である。表紙部分（１）、保護部分（２）、保持部分（３）を、各部分の長辺で上記の順に接続した場合の展開図（表面）である。保持部分（３）の表面に凹み（４）を設け、この凹みの底面に徽章等の留め具を通す穴（５）を設けている。
【図２】上記のとおり、表紙部分（１）、保護部分（２）、保持部分（３）を、各部分の長辺で上記の順に接続した実施例の展開図（裏面）である。保持部分（３）の裏面には徽章等の留め具を通す穴（５）を設けている。この実施例では、表紙部分（1）にカード状の文書の収納部を設け、同部に収納した文書を見通すことができる開口部（6）を設けている。
【図３】（Ａ）は徽章等を納める凹み（４）を設け、その底面に徽章等の留め具を通す穴（５）を設けた保持部分（３）、（Ｂ）は収納した文書を見通せる開口部（６）を設けた表紙部分（１）の具体的な形態を示したものである、
【図４】（Ａ）はそれぞれの一の長辺で接続した表紙部分（１）、保護部分（２）、保持部分（３）を折りたたんだ様子を示したものである。（Ｂ）は保持部分（３）の凹み（４）に底面の穴（５）を利用して保持した徽章等と、表紙部分（１）に収納した文書をその開口部（６）を通して示すため、保持部分（３）と表紙部分（１）を展開した様子を示したものである。
【図５】表紙部分（１）、保護部分（２）、保持部分（３）をそれぞれの一の短辺で接続した実施例の表面（Ａ）と裏面（Ｂ）の展開図である。この実施例においても、保持部分（３）には徽章等を納める凹み（４）を設けてその底面に徽章等の留め具を通す穴（５）を設けており、表紙部分（１）にはここに納めた文書を見通すための開口部（６）を設けている。
【図６】（Ａ）はそれぞれの一の短辺で接続した表紙部分（１）、保護部分（２）、保持部分（３）を折りたたんだ様子を示したものである。（Ｂ）は保持部分（３）の凹み（４）に底面の穴（５）を利用して保持した徽章等と、表紙部分（１）に収納した文書をその開口部（６）を通して示すため、保持部分（３）と表紙部分（１）を展開した様子を示したものである。
【図７】皮革素材による本考案の実施例である。表紙部分（１）、保護部分（２）、保持部分（３）それぞれの一の長辺を、いずれも折りたためるような方法で接続している。表紙部分（１）には文書を見通すための開口部（６）を設け、保持部分（３）には徽章等の留め具を通す穴（５）を設けている。ボタン（7）は、保持部分と保護部分それぞれの裏面を合わせて固定するために設けたものである。
【図８】皮革素材を用いた本考案の実施例の保持部分（３）である。保持部分に凹み（４）を設けることで、徽章等の表面が、周囲の保持部分や、収納時に保持部分の表面を覆う表紙部分に触れることを防ぐことができる。この実施例では、凹み（４）の底面には徽章等の留め具を通す穴（５）を設けており、両端には保持部分（３）と保護部分を結合するボタン（７）を設けている。
【図９】皮革素材を用いた本考案の実施例で、表紙部分（１）と保持部分（３）を展開して示した状態である。このように開いて示すことで、表紙部分（１）の開口部（６）を通して収納した文書を示し、保持部分（３）の凹み（４）に保持した徽章等を提示することができる。この実施例では、凹み（４）の底面には、徽章等の留め具を通す穴（５）を設けている。
【符号の説明】
【０００８】
１：表紙部分
２：保護部分
3：保持部分
4：保持部分の凹み
5：徽章等の留め具を保持部分に貫通させるための穴
6：表紙部分に収納した文書を見通すための開口部
7：皮革素材を用いた本考案の実施例に設けられた、保持部分と保護部分を合わせ固定するボタン
【図１】
0003220590.tif 000003
【図２】
0003220590.tif 000004
【図３】
0003220590.tif 000005
【図４】
0003220590.tif 000006
【図５】
0003220590.tif 000007
【図６】
0003220590.tif 000008
【図７】
0003220590.tif 000009
【図８】
0003220590.tif 000010
【図９】
0003220590.tif 000011